【手続補正書】
【提出日】平成28年5月12日(2016.5.12)
【手続補正１】
【補正対象書類名】特許請求の範囲
【補正対象項目名】全文
【補正方法】変更
【補正の内容】
【特許請求の範囲】
【請求項１】
複数の供給脚に分割するように構成された流体流入管路の水流入ポートであって、前記供給脚の上方に且つ温水装置の上端の下方に配置された水流入ポートと、
前記複数の供給脚の上方に配置された複数の熱交換器であって、それぞれの熱交換器が、外部ハウジングと、液体の流入流れを前記外部ハウジングの中に受領するための前記流体流入管路のそれぞれの供給脚に連結された熱交換器流入口と、液体の流出流れが前記外部ハウジングから出ることを可能にするための流出口と、前記外部ハウジング内に位置付けられ、前記熱交換器流入口から前記流出口まで前記外部ハウジングを通過する液体の流れを加熱するように構成された熱交換要素とを備え、前記熱交換器流入口は、前記複数の供給脚の上方に且つ前記温水装置の上端の下方に配置される、複数の熱交換器と、
燃焼室ハウジングと、前記燃焼室ハウジング内部に位置付けられたバーナーとを備えるバーナー組立体であって、前記バーナー組立体は、熱を液体の前記流れに供給するための前記複数の熱交換器に結合される、バーナー組立体と
を備え、
前記複数の熱交換器は、並列作動用に構成される、
温水装置。
【請求項２】
前記熱交換要素は複数の管を備え、前記バーナーからの燃焼排出は、前記管を通って流れるように向けられる、請求項１に記載の温水装置。
【請求項３】
螺旋溝は、前記熱交換管の上の水の前記流れの速度および乱流を増加させるために、前記熱交換管の外表面上に形成される、請求項２に記載の温水装置。
【請求項４】
前記熱交換要素は複数の管であり、前記液体の流れは前記管を通って向けられる、請求項１に記載の温水装置。
【請求項５】
少なくとも最高６００万ＢＴＵ／ｈｒまでの熱交換率を生成できる前記温水装置は、幅、高さ、および奥行きを含む形状要素を画定し、前記形状要素は、機械室への標準サイズの出入り口を充分に通過する、請求項１に記載の温水装置。
【請求項６】
前記幅は３６インチ未満である、請求項５に記載の温水装置。
【請求項７】
前記高さは８２インチ未満である、請求項５に記載の温水装置。
【請求項８】
２つの熱交換器を備える、請求項１に記載の温水装置。
【請求項９】
前記流体流入管路の前記複数の供給脚は、実質的に等しい流れ特性を提供するために対称である、請求項１に記載の温水装置。
【請求項１０】
前記複数の供給脚は、実質的に等しい圧力低下を提供するように構成される、請求項９に記載の温水装置。
【請求項１１】
前記複数の供給脚は、実質的に等しい流量を提供するように構成される、請求項９に記載の温水装置。
【請求項１２】
前記流体流入管路の前記供給脚は、前記熱交換器の下に位置付けられ、前記外部ハウジング内の前記熱交換要素は前記供給脚の上に位置付けられない、請求項９に記載の温水装置。
【請求項１３】
前記熱交換要素は、上部および下部チューブシートに固定された熱交換管を備え、前記下部チューブシートは、前記水供給脚がその下に位置付けられた前記熱交換管のない領域を有する、請求項１２に記載の温水装置。
【請求項１４】
前記燃焼室ハウジングを包囲する関係にあり、その間にウォータージャケットを画定する外部格納容器をさらに備え、前記外部格納容器は、前記液体の流れを前記熱交換器の外部ハウジングの前記流出口から前記ウォータージャケットを通るように向けるように適合される、請求項１に記載の温水装置。
【請求項１５】
予混合された空気および燃料を前記バーナー組立体に送達するための空気燃料弁組立体をさらに備え、前記空気燃料弁組立体は、静止ガス流プレートおよび回転可能なシャッターを有する燃料回転弁を備え、前記ガス流プレートは、それを通る燃料流れを測定するための領域開口を有し、前記シャッターは、回転し前記領域開口を遮断するように作動可能である、請求項１に記載の温水装置。
【請求項１６】
前記シャッターの回転は、制御装置からの制御信号に直線的に応答する前記領域開口内に変化を提供する、請求項１５に記載の温水装置。
【請求項１７】
前記ガス流プレートは、前記シャッターの前記位置にかかわらず、固定した燃料流れを可能にするための補助ポートを画定する、請求項１５に記載の温水装置。
【請求項１８】
前記空気燃料弁組立体は、呼気を測定するためにバタフライ弁をさらに備え、前記バタフライ弁は、前記燃料流れに比例して前記呼気を測定するように作動可能である、請求項１５に記載の温水装置。
【請求項１９】
前記バタフライ弁および前記燃料回転弁の前記シャッターは、共通シャフトによって結合される、請求項１８に記載の温水装置。
【請求項２０】
前記バーナーは、内スリーブを有する円筒形メッシュバーナーを備え、前記内スリーブは開口部のパターンを画定し、前記パターンは、音響共振の駆動力を中断するためにデッド行（ｄｅａｄ  ｒｏｗ）を備える、請求項１に記載の温水装置。
【請求項２１】
前記開口部のパターンは、等しく離間した穴の円筒形の行を備え、各行は隣接した行から角度オフセットされる、請求項２０に記載の温水装置。
【請求項２２】
前記開口部は、燃焼性能を向上させるために傾斜して開けられる、請求項２０に記載の温水装置。
【請求項２３】
酸素センサおよび前記燃焼室ハウジングに隣接した空洞内に配置された流管をさらに備え、前記流管は、前記空洞内に配置された第１の端部、および前記燃焼室より低い作動圧力の場所に配置された反対側の第２の端部を備える、請求項１に記載の温水装置。
【請求項２４】
前記流管の前記第２の端部は、燃焼排出マニホールド内に配置される、請求項２３に記載の温水装置。
【請求項２５】
温水装置を作動するための方法であって、
流体流入管路を温水装置流入ポートから複数の供給脚に分割するステップであって、前記供給脚のそれぞれは互いに対称である、分割するステップと、
前記供給脚のそれぞれを、前記複数の供給脚の上方に配置された複数の熱交換器の外部ハウジングのそれぞれの熱交換器流入口に連結するステップであって、前記熱交換器流入口のそれぞれは前記供給脚の上方に配置され、前記温水装置流入ポートは前記供給脚の上方に且つ前記温水装置の上端の下方に配置された、ステップと、
熱交換要素を各熱交換器の前記外部ハウジング内に位置付けるステップと、
熱を各熱交換要素に供給するステップと、
液体を前記流体流入管路内に流すステップ、および前記液体を前記熱交換器流入口から流出口まで各外部ハウジングを通過させるステップであって、前記液体は前記熱交換要素と熱交換関係にある、流すステップおよび通過させるステップと、
前記複数の熱交換器を並列に作動させるステップと
を含む、方法。
【請求項２６】
前記熱を供給するステップは、燃焼排出を供給することを含む、請求項２５に記載の方法。
【請求項２７】
前記燃焼排出は、燃焼室ハウジングを前記熱交換器に結合する１つまたは複数の伸縮継手を通って流れる、請求項２６に記載の方法。
【請求項２８】
前記熱交換要素を位置付けるステップは、熱交換管を上部および下部チューブシートに固定すること、ならびに前記燃焼排出を、前記熱交換管を通って流すことを含む、請求項２５に記載の方法。
【請求項２９】
前記加熱された液体を前記熱交換器流出口からバーナー組立体の外部格納容器を包囲するウォータージャケットを通して流すステップをさらに含む、請求項２５に記載の方法。
【請求項３０】
幅、高さ、および奥行きを含む形状要素を画定するために、少なくとも最高６００万ＢＴＵ／ｈｒまでの熱交換率を生成できる前記温水装置の前記構成要素を配置するステップをさらに含み、前記形状要素は、前記温水装置を機械室への標準サイズの出入り口を充分に通過させる、請求項２５に記載の方法。
【請求項３１】
前記形状要素の前記幅は３６インチ未満であり、前記形状要素の前記高さは８２インチ未満である、請求項３０に記載の方法。
【請求項３２】
前記流体流入管路を複数の対称の供給脚に分割する前記ステップは、実質的に等しい流れ特性を提供することを含む、請求項２５に記載の方法。
【請求項３３】
前記流体流入管路を複数の対称の供給脚に分割する前記ステップは、実質的に等しい圧力低下を提供することを含む、請求項２５に記載の方法。